(57)【要約】【課題】直感的でより利便性の高い操作体系を実現することが可能な情報処理装置を提供すること。【解決手段】オブジェクトが表示される表示部の外枠を形成する外枠部と、前記表示部又は前記外枠部に接触又は近接した操作体の位置を検知する位置検知部と、前記操作体が前記表示部に接触又は近接した状態で前記外枠部に移動した場合、当該移動の開始時に前記位置検知部で検知された前記操作体の位置にあるオブジェクトに関する補助情報を前記表示部に表示させる表示制御部と、を備える、情報処理装置が提供される。【選択図】図１
2010191892.tif 000002
【特許請求の範囲】
【請求項１】
オブジェクトが表示される表示部の外枠を形成する外枠部と、
前記表示部又は前記外枠部に接触又は近接した操作体の位置を検知する位置検知部と、
前記操作体が前記表示部に接触又は近接した状態で前記外枠部に移動した場合、当該移動の開始時に前記位置検知部で検知された前記操作体の位置にあるオブジェクトに関する補助情報を前記表示部に表示させる表示制御部と、
を備える、情報処理装置。
【請求項２】
前記表示制御部は、前記表示部から前記外枠部に移動した操作体が当該外枠部に接触又は近接した状態で移動した場合、当該移動の後で前記位置検知部により検知された前記操作体の位置に対応する位置に表示されたオブジェクトに関する補助情報を前記表示部に表示させる、請求項１に記載の情報処理装置。
【請求項３】
前記表示部に表示されたオブジェクトが前記操作体により直接接触又は近接された場合に前記位置検知部で検知された当該操作体の位置に基づいて当該オブジェクトを第１の選択状態にするオブジェクト選択部をさらに備え、
前記オブジェクト選択部は、前記操作体が前記外枠部に接触又は近接した状態で前記表示部に移動した場合、当該移動の後で前記位置検知部により検知された前記操作体の位置にあるオブジェクトを前記第１の選択状態とは異なる第２の選択状態にする、請求項１に記載の情報処理装置。
【請求項４】
前記オブジェクト選択部によりオブジェクトが第１の選択状態にされた場合に当該オブジェクトに対応するコンテンツを再生するコンテンツ再生部をさらに備え、
前記コンテンツ再生部は、前記オブジェクト選択部によりオブジェクトが前記第２の選択状態にされた場合に当該オブジェクトに対応するコンテンツの補助情報を前記表示部に表示させる、請求項３に記載の情報処理装置。
【請求項５】
前記コンテンツが音楽コンテンツの場合、
前記コンテンツ再生部は、前記コンテンツの補助情報として前記音楽コンテンツの再生履歴、楽曲の再生時間、及び再生頻度を示す情報の一部又は全部を前記表示部に表示させる、請求項４に記載の情報処理装置。
【請求項６】
前記コンテンツが動画コンテンツの場合、
前記コンテンツ再生部は、前記コンテンツの補助情報として前記動画コンテンツの再生履歴、動画の再生時間、及び再生頻度を示す情報の一部又は全部を前記表示部に表示させる、請求項４に記載の情報処理装置。
【請求項７】
前記コンテンツが静止画コンテンツであり、前記オブジェクトが一又は複数の前記静止画コンテンツに対応付けられたフォルダである場合、
前記コンテンツ再生部は、前記コンテンツの補助情報として前記第２の選択状態に設定されたオブジェクトに対応付けられた前記静止画コンテンツのサムネイル画像を前記表示部に表示させる、請求項４に記載の情報処理装置。
【請求項８】
オブジェクトが表示される表示部の外枠を形成する外枠部と、
前記表示部及び前記外枠部に接触又は近接した操作体の位置を検知する位置検知部と、
前記位置検知部で検知された操作体の位置が前記表示部の領域であるか、或いは、前記外枠部の領域であるかを判定する領域判定部と、
前記領域判定部により前記表示部の領域であると判定された場合に前記操作体の移動に応じて第１の速度で前記表示部の表示内容をスクロールさせ、前記外枠部の領域であると判定された場合に前記操作体の移動に応じて前記第１の速度とは異なる第２の速度で前記表示部の表示内容をスクロールさせる表示制御部と、
を備える、情報処理装置。
【請求項９】
オブジェクトが表示される表示部又は当該表示部の外枠を形成する外枠部に接触又は近接した操作体の位置を検知する位置検知ステップと、
前記操作体が前記表示部に接触又は近接した状態で前記外枠部に移動した場合、当該移動の開始時に前記位置検知ステップで検知された前記操作体の位置にあるオブジェクトに関する補助情報を前記表示部に表示させる表示制御ステップと、
を含む、表示制御方法。
【請求項１０】
オブジェクトが表示される表示部又は当該表示部の外枠を形成する外枠部に接触又は近接した操作体の位置を検知する位置検知ステップと、
前記位置検知ステップで検知された操作体の位置が前記表示部の領域であるか、或いは、前記外枠部の領域であるかを判定する領域判定ステップと、
前記領域判定ステップにより前記表示部の領域であると判定された場合に前記操作体の移動に応じて第１の速度で前記表示部の表示内容をスクロールさせ、前記外枠部の領域であると判定された場合に前記操作体の移動に応じて前記第１の速度とは異なる第２の速度で前記表示部の表示内容をスクロールさせる表示制御ステップと、
を含む、表示制御方法。
【請求項１１】
オブジェクトが表示される表示部又は当該表示部の外枠を形成する外枠部に接触又は近接した操作体の位置を検知する位置検知機能と、
前記操作体が前記表示部に接触又は近接した状態で前記外枠部に移動した場合、当該移動の開始時に前記位置検知機能で検知された前記操作体の位置にあるオブジェクトに関する補助情報を前記表示部に表示させる表示制御機能と、
をコンピュータに実現させるためのプログラム。
【請求項１２】
オブジェクトが表示される表示部又は当該表示部の外枠を形成する外枠部に接触又は近接した操作体の位置を検知する位置検知機能と、
前記位置検知機能で検知された操作体の位置が前記表示部の領域であるか、或いは、前記外枠部の領域であるかを判定する領域判定機能と、
前記領域判定機能により前記表示部の領域であると判定された場合に前記操作体の移動に応じて第１の速度で前記表示部の表示内容をスクロールさせ、前記外枠部の領域であると判定された場合に前記操作体の移動に応じて前記第１の速度とは異なる第２の速度で前記表示部の表示内容をスクロールさせる表示制御機能と、
をコンピュータに実現させるためのプログラム。
【発明の詳細な説明】
【技術分野】
【０００１】
本発明は、情報処理装置、表示制御方法、及びプログラムに関する。
【背景技術】
【０００２】
近年、小型の電子機器には、情報を入力したり、グラフィカルユーザインターフェース（以下、ＧＵＩ）の操作を行ったりするための入力デバイスとしてタッチパネルが多く用いられている。タッチパネルを用いることで、キーボード等の入力手段を別途設ける必要が無くなる分だけ電子機器を小型化することができる。また、タッチパネルは、画像やＧＵＩ等が表示される表示デバイスでもある。そのため、タッチパネルを用いることで、タッチパネル上に表示された画像やＧＵＩ等を直接触って操作するような直感的な操作体系を実現することができる。これらの特徴を有することから、タッチパネルは、例えば、携帯情報端末、携帯電話、カーナビゲーションシステム、ノート型のパーソナルコンピュータ、情報家電等、様々な電子機器に搭載されている。
【０００３】
上記の通り、タッチパネルは、入力デバイスの機能と、表示デバイスの機能とを有する。表示デバイスの機能は、例えば、液晶表示ディスプレイパネル（以下、ＬＣＤパネル）や有機エレクトロルミネッセンスディスプレイパネル（以下、ＯＥＬＤパネル）等の表示パネルを用いることで実現される。一方、入力デバイスの機能は、表示パネル上に静電センサを設けたり、表示パネルの表面に近接又は接触された操作体を光学的に走査する光学センサを設けたりすることで実現される。静電センサ又は光学センサによりセンシング可能なセンサ領域は、表示パネルの画素領域（表示可能領域）に設定されることが多い。また、下記の特許文献１には、表示パネルの枠部分にセンサ領域を拡張し、拡張したセンサ領域を用いて利便性の高い操作体系を実現する技術が開示されている。
【先行技術文献】
【特許文献】
【０００４】
【特許文献１】特許第４１６１８１４号公報
【発明の概要】
【発明が解決しようとする課題】
【０００５】
しかしながら、上記文献に記載された操作方法は、表示パネルの枠部分に拡張されたセンサ領域を活用するための一例に過ぎない。そのため、表示パネルの枠部分に拡張されたセンサ領域を利用して利便性の高い操作体系を実現するための更なる工夫が求められている。そこで、本発明は、上記問題に鑑みてなされたものであり、本発明の目的とするところは、表示パネルの枠部分に拡張されたセンサ領域を利用して、より利便性の高い操作体系を実現することが可能な、新規かつ改良された情報処理装置、表示制御方法、及びプログラムを提供することにある。
【課題を解決するための手段】
【０００６】
上記課題を解決するために、本発明のある観点によれば、オブジェクトが表示される表示部の外枠を形成する外枠部と、前記表示部又は前記外枠部に接触又は近接した操作体の位置を検知する位置検知部と、前記操作体が前記表示部に接触又は近接した状態で前記外枠部に移動した場合、当該移動の開始時に前記位置検知部で検知された前記操作体の位置にあるオブジェクトに関する補助情報を前記表示部に表示させる表示制御部と、を備える、情報処理装置が提供される。
【０００７】
また、前記表示制御部は、前記表示部から前記外枠部に移動した操作体が当該外枠部に接触又は近接した状態で移動した場合、当該移動の後で前記位置検知部により検知された前記操作体の位置に対応する位置に表示されたオブジェクトに関する補助情報を前記表示部に表示させるように構成されていてもよい。
【０００８】
また、上記の情報処理装置は、前記表示部に表示されたオブジェクトが前記操作体により直接接触又は近接された場合に前記位置検知部で検知された当該操作体の位置に基づいて当該オブジェクトを第１の選択状態にするオブジェクト選択部をさらに備えていてもよい。この場合、前記オブジェクト選択部は、前記操作体が前記外枠部に接触又は近接した状態で前記表示部に移動した場合、当該移動の後で前記位置検知部により検知された前記操作体の位置にあるオブジェクトを前記第１の選択状態とは異なる第２の選択状態にする。
【０００９】
また、上記の情報処理装置は、前記オブジェクト選択部によりオブジェクトが第１の選択状態にされた場合に当該オブジェクトに対応するコンテンツを再生するコンテンツ再生部をさらに備えていてもよい。この場合、前記コンテンツ再生部は、前記オブジェクト選択部によりオブジェクトが前記第２の選択状態にされた場合に当該オブジェクトに対応するコンテンツの補助情報を前記表示部に表示させる。
【００１０】
また、前記コンテンツが音楽コンテンツの場合、前記コンテンツ再生部は、前記コンテンツの補助情報として前記音楽コンテンツの再生履歴、楽曲の再生時間、及び再生頻度を示す情報の一部又は全部を前記表示部に表示させるように構成されていてもよい。
【００１１】
また、前記コンテンツが動画コンテンツの場合、前記コンテンツ再生部は、前記コンテンツの補助情報として前記動画コンテンツの再生履歴、動画の再生時間、及び再生頻度を示す情報の一部又は全部を前記表示部に表示させるように構成されていてもよい。
【００１２】
また、前記コンテンツが静止画コンテンツであり、前記オブジェクトが一又は複数の前記静止画コンテンツに対応付けられたフォルダである場合、前記コンテンツ再生部は、前記コンテンツの補助情報として前記第２の選択状態に設定されたオブジェクトに対応付けられた前記静止画コンテンツのサムネイル画像を前記表示部に表示させるように構成されていてもよい。
【００１３】
また、上記課題を解決するために、本発明の別の観点によれば、オブジェクトが表示される表示部の外枠を形成する外枠部と、前記表示部及び前記外枠部に接触又は近接した操作体の位置を検知する位置検知部と、前記位置検知部で検知された操作体の位置が前記表示部の領域であるか、或いは、前記外枠部の領域であるかを判定する領域判定部と、前記領域判定部により前記表示部の領域であると判定された場合に前記操作体の移動に応じて第１の速度で前記表示部の表示内容をスクロールさせ、前記外枠部の領域であると判定された場合に前記操作体の移動に応じて前記第１の速度とは異なる第２の速度で前記表示部の表示内容をスクロールさせる表示制御部と、を備える、情報処理装置が提供される。
【００１４】
また、上記課題を解決するために、本発明の別の観点によれば、オブジェクトが表示される表示部又は当該表示部の外枠を形成する外枠部に接触又は近接した操作体の位置を検知する位置検知ステップと、前記操作体が前記表示部に接触又は近接した状態で前記外枠部に移動した場合、当該移動の開始時に前記位置検知ステップで検知された前記操作体の位置にあるオブジェクトに関する補助情報を前記表示部に表示させる表示制御ステップと、を含む、表示制御方法が提供される。
【００１５】
また、上記課題を解決するために、本発明の別の観点によれば、オブジェクトが表示される表示部又は当該表示部の外枠を形成する外枠部に接触又は近接した操作体の位置を検知する位置検知ステップと、前記位置検知ステップで検知された操作体の位置が前記表示部の領域であるか、或いは、前記外枠部の領域であるかを判定する領域判定ステップと、前記領域判定ステップにより前記表示部の領域であると判定された場合に前記操作体の移動に応じて第１の速度で前記表示部の表示内容をスクロールさせ、前記外枠部の領域であると判定された場合に前記操作体の移動に応じて前記第１の速度とは異なる第２の速度で前記表示部の表示内容をスクロールさせる表示制御ステップと、を含む、表示制御方法が提供される。
【００１６】
また、上記課題を解決するために、本発明の別の観点によれば、オブジェクトが表示される表示部又は当該表示部の外枠を形成する外枠部に接触又は近接した操作体の位置を検知する位置検知機能と、前記操作体が前記表示部に接触又は近接した状態で前記外枠部に移動した場合、当該移動の開始時に前記位置検知機能で検知された前記操作体の位置にあるオブジェクトに関する補助情報を前記表示部に表示させる表示制御機能と、をコンピュータに実現させるためのプログラムが提供される。
【００１７】
また、上記課題を解決するために、本発明の別の観点によれば、オブジェクトが表示される表示部又は当該表示部の外枠を形成する外枠部に接触又は近接した操作体の位置を検知する位置検知機能と、前記位置検知機能で検知された操作体の位置が前記表示部の領域であるか、或いは、前記外枠部の領域であるかを判定する領域判定機能と、前記領域判定機能により前記表示部の領域であると判定された場合に前記操作体の移動に応じて第１の速度で前記表示部の表示内容をスクロールさせ、前記外枠部の領域であると判定された場合に前記操作体の移動に応じて前記第１の速度とは異なる第２の速度で前記表示部の表示内容をスクロールさせる表示制御機能と、をコンピュータに実現させるためのプログラムが提供される。
【００１８】
また、上記課題を解決するために、本発明の別の観点によれば、上記のプログラムが記録されたコンピュータにより読み取り可能な記録媒体が提供されうる。
【発明の効果】
【００１９】
以上説明したように本発明によれば、表示パネルの枠部分に拡張されたセンサ領域を利用して、より利便性の高い操作体系を実現することが可能になる。
【図面の簡単な説明】
【００２０】
【図１】本発明の第１実施形態に係る情報処理装置の機能構成例を示す説明図である。
【図２】表示画面にタッチして選択操作を行う操作方法の一例を示す説明図である。
【図３】外枠にタッチして選択操作を行う操作方法の一例を示す説明図である。
【図４】外枠にセンサ領域を拡張する方法の一例を示す説明図である。
【図５】表示画面内でドラッグ操作を行う操作方法の一例を示す説明図である。
【図６】表示画面内から外枠にスライド操作を行った後で外枠にタッチしたままドラッグ操作する操作方法の一例を示す説明図である。
【図７】外枠から表示画面内にスライド操作を行うことでオブジェクトを選択する操作方法の一例を示す説明図である。
【図８】表示画面内でオブジェクトを選択状態にした後で外枠にスライド操作を行うことでオブジェクトの補助情報を表示させる操作方法の一例を示す説明図である。
【図９】オブジェクトの補助情報が表示された状態で外枠にスライド操作を行うことで異なるオブジェクトの補助情報を表示させる操作方法の一例を示す説明図である。
【図１０】外枠にタップ操作を行うことでフォルダ内の画像データを表示させる操作方法の一例を示す説明図である。
【図１１】外枠にタップ操作を行うことでフォルダ内の画像データに関する補助情報を表示させる操作方法の一例を示す説明図である。
【図１２】本発明の第２実施形態に係る情報処理装置の機能構成例を示す説明図である。
【図１３】表示画面内でタップ操作を行うことにより音楽データを再生させる操作方法の一例を示す説明図である。
【図１４】外枠でタップ操作を行うことにより音楽データの補助情報を表示させる操作方法の一例を示す説明図である。
【図１５】本発明の各実施形態に係る情報処理装置の機能を実現することが可能なハードウェア構成の一例を示す説明図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
［説明の流れについて］
ここで、以下に記載する本発明の実施形態に関する説明の流れについて簡単に述べる。まず、図１を参照しながら、本発明の第１実施形態に係る情報処理装置１００の機能構成について説明する。この中で、図２〜図１１を参照しながら、情報処理装置１００の機能により実現される操作体系、及び表示制御方法について詳細に説明する。
【００２３】
次いで、図１２を参照しながら、本発明の第２実施形態に係る情報処理装置２００の機能構成について説明する。この中で、図１２〜図１４を参照しながら、情報処理装置２００の機能により実現される操作体系、及び表示制御方法について詳細に説明する。
【００２４】
次いで、図１５を参照しながら、情報処理装置１００、２００の機能を実現することが可能なハードウェアの構成について説明する。最後に、第１及び第２実施形態の技術的思想について纏め、当該技術的思想から得られる作用効果について簡単に説明する。
【００２５】
（説明項目）
１：第１実施形態（画像データに関する構成）
１−１：情報処理装置１００の機能構成
１−２：情報処理装置１００による表示制御方法
２：第２実施形態（音楽データに関する構成）
２−１：情報処理装置２００の機能構成
２−２：情報処理装置２００による表示制御方法
３：情報処理装置１００、２００のハードウェア構成
４：まとめ
【００２６】
＜１：第１実施形態（画像データに関する構成）＞
まず、本発明の第１実施形態について説明する。本実施形態は、表示パネルの外枠まで拡張されたセンサ領域を利用して利便性の高い操作体系を実現する技術に関する。また、本実施形態においては、具体的に画像データ又は画像データの補助情報を表示する方法や、これらの情報を表示するための効果的な表示制御方法が提案される。
【００２７】
［１−１：情報処理装置１００の機能構成］
まず、図１を参照しながら、本発明の第１実施形態に係る情報処理装置１００の機能構成について説明する。図１は、本実施形態に係る情報処理装置１００の機能構成例を示す説明図である。
【００２８】
図１に示すように、情報処理装置１００は、タッチパネル１０２と、領域判定部１０４と、操作判定部１０６と、画像データ再生部１０８と、画像データ記憶部１１０と、表示制御部１１２と、を有する。さらに、タッチパネル１０２は、表示部１３２、及び位置検知部１３４により構成される。なお、タッチパネル１０２は、所定の操作体が接触又は近接した際に、その操作体の位置を検知できる任意のデバイスで代用可能である。なお、上記の操作判定部１０６、及び表示制御部１１２は、オブジェクト選択部の一例である。また、上記の画像データ再生部１０８は、コンテンツ再生部の一例である。
【００２９】
（タッチパネル１０２の構成について）
まず、図２〜図４を参照しながら、本実施形態で想定するタッチパネル１０２の構成について説明する。
【００３０】
上記の通り、タッチパネル１０２には、表示部１３２と、位置検知部１３４とが設けられている。表示部１３２は、画像データや画像データの補助情報、或いは、入力操作に用いるグラフィカルユーザインターフェース（以下、ＧＵＩ）等を表示するための表示デバイスである。なお、ＧＵＩとしては、例えば、ボタンオブジェクト、メニューオブジェクト、フォルダオブジェクト、情報表示オブジェクト（吹き出し）等が想定される。一方、位置検知部１３４は、所定の操作体がタッチパネル１０２に接触又は近接（以下、タッチ）した場合に当該操作体の位置を検知するためのセンサデバイスである。なお、所定の操作体としては、例えば、指やスタイラスペン等が想定される。
【００３１】
（画面内のタッチ操作について）
まず、図２を参照する。図２は、情報処理装置１００の外観構成を示したものである。図２に示すように、情報処理装置１００には、外枠１２、及び表示画面１４が設けられている。表示画面１４には、表示部１３２により画像データ等が表示される。例えば、表示画面１４には、フォルダオブジェクト１６や写真オブジェクト１８等が表示される。但し、フォルダオブジェクト１６には、選択状態のものと非選択状態のものとがある。
【００３２】
また、表示画面１４には、操作体１０のタッチ位置を検知するためのセンサ（位置検知部１３４）が設けられている。そのため、操作体１０が表示画面１４にタッチすると、位置検知部１３４によりタッチ位置が検知され、その検知結果に応じた所定の処理が実行される。例えば、ユーザが表示画面１４に表示されたフォルダオブジェクト１６の上を操作体１０でタッチすると、タッチ位置に表示されているフォルダオブジェクト１６の表示が非選択状態から選択状態に切り替わる。さらに、そのフォルダオブジェクト１６に対応する写真オブジェクト１８が表示画面１４に表示される。もちろん、これらの動作は一例である。
【００３３】
上記のように、操作手段としてタッチパネル１０２が設けられていることで、ユーザは、表示画面１４に表示されたＧＵＩに直接タッチして操作できるようになる。その結果、直感的な操作体系が実現される。
【００３４】
（外枠のタッチ操作について）
さらに、本実施形態においては、図３に示すように、外枠１２をタッチした操作体１０の位置を検知することが可能なセンサの構成が想定されている。このような構成にすると、ユーザは、外枠１２をタッチすることでタッチ位置に応じた所定の操作を実現することができるようになる。例えば、あるフォルダオブジェクト１６に対応する外枠１２内の位置にユーザが操作体１０でタッチすると、そのフォルダオブジェクト１６の表示が非選択状態から選択状態に切り替わる。さらに、そのフォルダオブジェクト１６に対応する写真オブジェクト１８が表示画面１４に表示される。もちろん、この動作は一例である。
【００３５】
このように、外枠１２にタッチした操作体１０の位置を検知できるようにすると、表示画面１４に表示されたＧＵＩによる操作と組み合わせて複雑な操作体系を実現することができるようになる。特に、外枠１２に対して行われた同じ操作（例えば、タップ操作）に対し、表示画面１４に対して行われた同じ操作に対応付けられた動作とは異なる動作を割り当てることができるため、直感性を失わず多様な操作形態が実現される。また、操作形態を工夫することで表示画面１４に表示されるＧＵＩの数を低減させることができるため、表示画面１４を広く使えるようになるという効果も期待される。
【００３６】
（センサ領域の拡張方法について）
ここで、図４を参照しながら、操作体１０のタッチ位置を検知可能な領域（センサ領域）を外枠１２にまで拡張する方法について説明する。
【００３７】
センサ領域を外枠１２まで拡張する方法としては、例えば、図４の断面図Ａ、Ｂ、Ｃに示すような方法がある。これらの断面図は、情報処理装置１００をＩ−Ｉ線に沿って切断して得られるものである。なお、情報処理装置１００のタッチパネル１０２に相当する部分は、主に、センサパネルＰ１２、表示パネルＰ１４、及び基板Ｐ１６により構成されている。なお、センサパネルＰ１２は、位置検知部１３４に相当する。また、表示パネルＰ１４は、表示部１３２に相当する。表示パネルＰ１４としては、例えば、ＬＣＤパネルやＯＥＬＤパネル等が用いられる。
【００３８】
（断面図Ａについて）
断面図Ａの構造は、センサパネルＰ１２、及び表示パネルＰ１４のサイズに特徴がある。センサ領域が表示画面１４の内部に限定されている場合（以下、通常）、外枠１２の部分には、表示パネルＰ１４やセンサパネルＰ１２が設けられないことが多い。しかし、断面図Ａの場合、表示画面１４の領域と同様に、下層から順に基板Ｐ１６、表示パネルＰ１４、センサパネルＰ１２、基板Ｐ１６の順番で、積層構造が形成されている。つまり、断面図Ａの場合、表示画面１４の部分に設けられるセンサパネルＰ１２及び表示パネルＰ１４の層が外枠１２まで延伸されている。また、画像やＧＵＩ等の表示に用いない外枠１２の領域は、基板Ｐ１６の一部で覆われている。言い換えると、通常のタッチパネルにおいて、表示画面１４の一部を基板Ｐ１６の一部で覆った形状が断面図Ａの構造に相当する。
【００３９】
（断面図Ｂについて）
断面図Ｂの構造は、センサパネルＰ１２のサイズに特徴がある。断面図Ａの場合、センサパネルＰ１２の他に、表示パネルＰ１４も外枠１２の部分まで延伸されていた。しかし、外枠１２においては、表示パネルＰ１４に画像やＧＵＩ等が表示されない。そのため、外枠１２の部分には表示パネルＰ１４を設ける必要がない。そこで、断面図Ｂの構造は、外枠１２の部分にセンサパネルＰ１２だけを延伸して配置したものである。また、外枠１２の部分に表示パネルＰ１４が含まれないため、センサパネルＰ１２の上面を基板Ｐ１６の一部で覆う必要がない。そのため、センサパネルＰ１２の上層に基板Ｐ１６の一部が設けられていない。つまり、通常のタッチパネルにおいて、センサパネルＰ１２を外枠１２まで延伸した形状が断面図Ｂの構造に相当する。
【００４０】
（断面図Ｃについて）
断面図Ｃの構造は、センサパネルＰ１２の構造に特徴がある。この例においては、表示画面１４の領域に配置されるセンサパネルＰ１２と外枠１２の領域に配置されるセンサパネルＰ１２とが別体として形成される。なお、表示画面１４の領域に配置されるセンサパネルＰ１２と表示パネルＰ１４とを合わせて記載している。上記の通り、断面図Ａ、Ｂの構造は、センサパネルＰ１２、表示パネルＰ１４のいずれか又は両方を外枠１２まで延伸した形状に相当する。しかし、断面図Ｃの構造は、センサパネルＰ１２を外枠１２まで延伸させず、外枠１２の領域に別途センサパネルＰ１２を設けるものである。また、上記の断面図Ｂと同様、外枠１２の領域には表示パネルＰ１４が存在しないため、センサパネルＰ１２の上面が基板Ｐ１６の一部で覆われていない。
【００４１】
上記の断面図Ａ、断面図Ｂ、断面図Ｃのいずれかの構造を適用することで、外枠１２にまでセンサ領域を拡張することができる。本実施形態においては、このようにして外枠１２までセンサ領域が拡張されたタッチパネル１０２を想定している。なお、センサパネルＰ１２としては、例えば、静電容量方式や圧電検知方式等のセンサが用いられる。
【００４２】
以上、本実施形態に係るタッチパネル１０２の構成について説明した。以下では、再び図１を参照し、情報処理装置１００の各構成要素が持つ機能について説明する。
【００４３】
（位置検知部１３４）
まず、ユーザにより操作体１０でタッチパネル１０２がタッチされると、位置検知部１３４は、操作体１０のタッチ位置を検知する。例えば、位置検知部１３４は、タッチパネル１０２の所定位置に設定された原点を基準とする位置座標により操作体１０のタッチ位置を特定する。なお、タッチパネル１０２の領域全体が所定サイズのブロック領域に区切られている場合、位置検知部１３４は、タッチ位置に対応するブロックを特定する。そして、位置検知部１３４で特定されたタッチ位置の情報（以下、タッチ位置情報）は、領域判定部１０４、及び操作判定部１０６に入力される。
【００４４】
（領域判定部１０４）
上記の通り、領域判定部１０４には、位置検知部１３４からタッチ位置情報が入力される。位置検知部１３４からタッチ位置情報が入力されると、領域判定部１０４は、タッチ位置情報により特定される位置が表示画面１４の領域（以下、画面領域）に含まれるか、或いは、外枠１２の領域（以下、枠領域）に含まれるかを判定する。例えば、領域判定部１０４は、画面領域の座標範囲と枠領域の座標範囲とを範囲情報として保持しており、当該範囲情報とタッチ位置情報とを照合することで判定結果（以下、領域情報）を得る。そして、領域判定部１０４により得られた領域情報は、操作判定部１０６に入力される。
【００４５】
（操作判定部１０６）
上記の通り、操作判定部１０６には、位置検知部１３４からタッチ位置情報が入力される。さらに、操作判定部１０６には、領域判定部１０４から領域情報が入力される。これらの情報が入力されると、操作判定部１０６は、入力されたタッチ位置情報と領域情報との組み合わせに基づいて操作の種類を判定する。例えば、操作判定部１０６は、タッチ位置情報及び領域情報に関する所定の組み合わせと、予め設定されている操作の種類とを対応付けるテーブルを保持しており、当該テーブルを参照して入力された当該組み合わせに対応する操作の種類を判定する。そして、操作判定部１０６による判定結果は、画像データ再生部１０８、及び表示制御部１１２に入力される。
【００４６】
例えば、操作判定部１０６は、タッチ位置情報からタップ操作が行われたことを検知し、領域情報からタッチ位置が枠領域であることを検知した場合、枠領域のタップ操作に対応する操作の種類（例えば、オブジェクトの選択操作）を判定結果として出力する。なお、タップ操作とは、面にタッチした後ですぐに面から操作体１０を遠ざける操作である。以下、操作判定部１０６の処理について具体例を挙げながら、より詳細に説明する。
【００４７】
（タップ操作１：画面領域）
例えば、図２に示すような表示画面１４に対するタップ操作が行われた場合、操作判定部１０６には、ほぼ同じ位置を示すタッチ位置情報が短い時間だけ入力されると共に、画面領域を示す領域情報が入力される。画面領域のタップ操作にＧＵＩの選択動作が対応付けられている場合、操作判定部１０６は、ユーザにより行われた操作の種類がタッチ位置情報により示される位置に表示されたフォルダオブジェクト１６に対する選択操作であると判定する。そして、操作判定部１０６は、その判定結果を表示制御部１１２に入力する。その結果、図２に示したように、ユーザ操作に応じてフォルダオブジェクト１６の表示が非選択状態から選択状態に切り替えられる。さらに、フォルダオブジェクト１６に対応する写真オブジェクト１８が表示画面１４に表示される。
【００４８】
（タップ操作２：枠領域）
他の例として、図３に示すような外枠１２に対するタップ操作が行われた場合、操作判定部１０６には、ほぼ同じ位置を示すタッチ位置情報が短い時間だけ入力されると共に、枠領域を示す領域情報が入力される。枠領域のタップ操作にＧＵＩの選択動作が対応付けられている場合、操作判定部１０６は、ユーザにより行われた操作の種類がタッチ位置情報により示される位置に対応するフォルダオブジェクト１６に対する選択操作であると判定する。そして、操作判定部１０６は、その判定結果を表示制御部１１２に入力する。その結果、図３に示したように、ユーザ操作に応じてフォルダオブジェクト１６の表示が非選択状態から選択状態に切り替えられる。さらに、フォルダオブジェクト１６に対応する写真オブジェクト１８が表示画面１４に表示される。
【００４９】
（ドラッグ操作１：画面領域）
さらに他の例として、図５に示すように、ドラッグ操作とスクロール動作とが対応付けられている場合が考えられる。なお、ドラッグ操作とは、面にタッチした状態で操作体１０を移動させる操作である。図５に示すような表示画面１４に対するドラッグ操作が行われた場合、操作判定部１０６には、ある方向に向けて時間の経過と共に連続して変化するタッチ位置情報が入力されると共に、画面領域を示す領域情報が入力される。この例では画面領域のドラッグ操作にスクロール動作が対応付けられているため、操作判定部１０６は、ユーザにより行われた操作の種類がタッチ位置を基準とするスクロール操作であると判定する。そして、その判定結果が表示制御部１１２に入力され、例えば、表示画面１４に表示されたフォルダオブジェクト１６がスクロール処理される。
【００５０】
（ドラッグ操作２：画面領域→枠領域）
上記のように、図２、図３、図５に示した例は、各領域において行われる操作に関する処理方法を示したものであった。しかし、情報処理装置１００には領域判定部１０４が含まれており、リアルタイムで画面領域と枠領域とを判定することができるため、画面領域と枠領域とを跨ぐ操作に関して所定の動作を対応付けることができる。なお、このような領域を跨ぐ操作に関する処理方法の具体例が図６に示されている。そこで、図６を参照しながら、画面領域から枠領域にドラッグする操作にモード切り替え動作を対応付ける例について考察する。ここでは、モード切り替え動作の例として、高速スクロールモードへの切り替え動作を考えることにする。
【００５１】
なお、領域判定部１０４のような機能が無い場合、高速スクロールモードへの切り替え操作を実現するには、例えば、図５に示したモード切り替えボタン２０を利用する必要がある。つまり、ユーザは、モード切り替えボタン２０をタップ操作して高速スクロールモードに切り替えた上でドラッグ操作を行う必要がある。そのため、モード切り替えボタン２０をタップ操作する分だけ操作工程が増えてしまう。一方、図６に示すように、表示画面１４から外枠１２へのドラッグ操作がモード切り替え動作に対応付けられている場合、ユーザは、タッチパネル１０２から一旦操作体１０を離さずに、連続したドラッグ操作の中で高速スクロール動作を実現することができる。
【００５２】
例えば、図６に示すようなドラッグ操作が行われた場合、操作判定部１０６には、ある方向に向けて時間の経過と共に連続して変化するタッチ位置情報が入力されると共に、その間に画面領域を示す領域情報と枠領域を示す領域情報とが入力される。このとき、操作判定部１０６は、画面領域の領域情報と枠領域の領域情報との入力順序に基づいて操作体１０の移動方向を判定することができる。そのため、操作判定部１０６は、入力された情報に基づき、連続したドラッグ操作の中で操作体１０が画面領域から枠領域に移動したと判定することができる。
【００５３】
画面領域から枠領域へのドラッグ操作に高速スクロールモードへのモード切り替え操作が対応付けられている場合、操作判定部１０６は、ユーザ操作が高速スクロールモードへのモード切り替え操作であると判定する。そして、この判定結果は、操作判定部１０６から表示制御部１１２に入力され、例えば、表示画面１４に表示されたフォルダオブジェクト１６が高速スクロールされる。なお、画面領域から枠領域へのドラッグ操作に複数種類の動作を対応付けることも可能である。この場合、操作判定部１０６は、領域を跨ぐドラッグ操作の前又は後で画面領域又は枠領域における操作体１０の操作形態（例えば、ドラッグ操作の有無等）に応じてユーザ操作に対応する動作の種類を判定する。
【００５４】
（ドラッグ操作３：枠領域→画面領域）
また、図７に示すように、外枠１２から表示画面１４へのドラッグ操作に所定の動作が対応付けられていてもよい。図７の例では、表示画面１４内でのタップ操作（図２を参照）と同様に領域を跨ぐドラッグ操作に対してＧＵＩの選択動作が対応付けられている。図７に示すようなドラッグ操作が行われた場合、操作判定部１０６には、ある方向に向けて時間の経過と共に連続して変化するタッチ位置情報が入力されると共に、その間に画面領域を示す領域情報と枠領域を示す領域情報とが入力される。
【００５５】
このとき、操作判定部１０６は、画面領域の領域情報と枠領域の領域情報との入力順序に基づいて操作体１０の移動方向を判定することができる。そのため、操作判定部１０６は、入力された情報に基づき、連続したドラッグ操作の中で操作体１０が枠領域から画面領域に移動したと判定する。そして、操作判定部１０６は、ユーザ操作がＧＵＩの選択操作であると判定する。この判定結果は、表示制御部１１２に入力され、例えば、表示画面１４に表示されたフォルダオブジェクト１６の表示が非選択状態から選択状態に切り替わる。このように、領域情報の入力順序を判定することで、領域を跨ぐ際の移動方向に操作の種類を対応付けることができる。
【００５６】
（ドラッグ操作４：補助情報の表示）
また、図８に示すように、表示画面１４から外枠１２へのドラッグ操作に所定の動作が対応付けられていてもよい。図８の例では、領域を跨ぐドラッグ操作に補助情報表示オブジェクト２２の表示動作が対応付けられている。この補助情報表示オブジェクト２２は、ＧＵＩや画像データ等に関する補助情報を表示するための表示オブジェクトである。なお、補助情報としては、例えば、フォルダオブジェクト１６に対応する画像データの数やデータサイズ、画像データの撮影日時、動画像データの再生時間等がある。
【００５７】
図８に示すようなドラッグ操作が行われた場合、操作判定部１０６には、ある方向に向けて時間の経過と共に連続して変化するタッチ位置情報が入力されると共に、その間に画面領域を示す領域情報と枠領域を示す領域情報とが入力される。このとき、操作判定部１０６は、画面領域の領域情報と枠領域の領域情報との入力順序に基づいて操作体１０の移動方向を判定することができる。そのため、操作判定部１０６は、入力された情報に基づき、連続したドラッグ操作の中で操作体１０が画面領域から枠領域に移動したと判定する。そして、操作判定部１０６は、ユーザ操作が補助情報表示オブジェクト２２の表示操作であると判定する。
【００５８】
上記の判定結果が操作判定部１０６から表示制御部１１２に入力されると、表示画面１４に補助情報表示オブジェクト２２が表示される。そして、補助情報表示オブジェクト２２には、操作体１０の位置に対応するＧＵＩ（フォルダオブジェクト１６等）又はそのＧＵＩに関する画像データの補助情報が表示される。このような構成にすることで、ユーザは、補助情報表示オブジェクト２２を表示するためにタッチパネル１０２から操作体１０を離すことなく、連続したドラッグ操作の中で所望のＧＵＩ等を指定して補助情報を表示させることが可能になる。
【００５９】
なお、図６、図７、図８に示した操作体系に共通する利点として、操作工程を低減させることができる点と、その操作工程を実行するためのＧＵＩを表示画面１４に表示せずに済む点とが挙げられる。つまり、操作性の向上はもちろんのこと、表示画面１４を広く使えるようになるという効果が得られるのである。なお、図６〜図８等に示した例は情報処理装置１００により実現可能な操作体系の一例であり、本実施形態の技術的範囲はこれに限定されない。例えば、図８に示した構成をさらに改良した例を図９に示す。
【００６０】
図８の例では、補助情報表示オブジェクト２２の表示操作までが示されていたが、図９の例では、補助情報表示オブジェクト２２に対応するＧＵＩを変更する操作が示されている。なお、図９の操作は、図８に例示した操作に続けて実行されるものである。図９に示した例の場合、ユーザは、補助情報表示オブジェクト２２が表示された後、外枠１２の領域で操作体１０を移動させ、補助情報表示オブジェクト２２に表示される補助情報を変更している。このとき、補助情報表示オブジェクト２２の表示対象が操作体１０の位置に対応するＧＵＩに変更され、ＧＵＩの変更に連動して補助情報表示オブジェクト２２に表示される補助情報の内容も変更される。
【００６１】
補助情報表示オブジェクト２２の変更操作を行っている際、操作判定部１０６には、ある方向に向けて時間の経過と共に連続して変化するタッチ位置情報が入力されると共に、枠領域を示す領域情報が入力される。なお、図９に例示した操作は、図８に例示した操作から連続して行われるため、操作判定部１０６は、補助情報表示オブジェクト２２の表示操作であることを認識している。そのため、操作判定部１０６は、枠領域における操作体１０の移動をスクロール操作ではなく、補助情報表示オブジェクト２２の変更操作であると判定することができる。そして、その判定結果が表示制御部１１２に入力され、補助情報表示オブジェクト２２の表示位置や表示内容に反映される。
【００６２】
ここで重要な点は、ユーザの行う操作が連続した一連のドラッグ操作のみであるという点である。例えば、図８、図９に示した補助情報表示オブジェクト２２の表示操作を例に挙げると、ユーザは、表示画面１４にタッチした状態で外枠１４へとドラッグ操作し、そのまま外枠１２の上でドラッグ操作を継続しているだけである。この連続したドラッグ操作の中で、ユーザは、補助情報を表示させたいＧＵＩ等の位置に操作体１０を移動させ、所望の補助情報表示オブジェクト２２を表示させることができる。このような操作体系は、領域判定部１０４による領域判定機能、及び操作判定部１０６による上記の判定機能を活用することにより実現される。
【００６３】
なお、操作判定部１０６は、操作の種類を示す情報の他にも、操作体１０の移動方向、位置、移動量等を示す情報を表示制御部１１２に入力する。また、入力されたタッチ位置情報、及び領域情報の組み合わせが画像データ（又は映像データ）の再生動作に対応付けられている場合、操作判定部１０６は、再生すべき画像データを示す情報を画像データ再生部１０８に入力する。
【００６４】
また、画面領域と枠領域とを跨ぐ操作に複数種類の動作が対応付けられていてもよい。この場合、操作判定部１０６は、領域を跨ぐ前又は後に検出された操作体１０の移動方向や操作パターンに基づいて動作の種類を判別する。例えば、領域を跨ぐ前の操作がスクロール動作に対応するドラッグ操作である場合、操作判定部１０６は、領域を跨ぐ操作が高速スクロールモードへのモード切り替え操作であると判定する。一方、領域を跨ぐ前の操作がタップ操作である場合、操作判定部１０６は、領域を跨ぐ操作が補助情報表示オブジェクト２２の表示操作であると判定する。
【００６５】
（領域を跨ぐ操作に関する補足）
ここで、操作判定部１０６の機能に関する説明について簡単な補足を行う。上記の通り、操作判定部１０６には、領域判定部１０４から領域情報が入力される。また、操作判定部１０６には、位置検知部１３４からタッチ位置情報が入力される。そのため、操作判定部１０６は、タッチ位置情報の連続性に基づいてタップ操作とドラッグ操作とを判別することができる。また、タッチ位置情報に基づいてドラッグ操作であると判別した場合、操作判定部１０６は、ドラッグ操作の最中に領域情報が変化したか否かを判定することで領域を跨ぐ操作であるか否かを判別することができる。
【００６６】
さらに、操作判定部１０６は、タッチ位置情報に基づいてドラッグ操作の方向、各領域内でのドラッグ距離、ドラッグ速度等を判別することができる。これらの判別結果は、必要に応じて表示制御部１１２に入力される。また、操作判定部１０６は、領域情報が変化する前又は後のタッチ位置情報に基づき、領域を跨ぐ操作の前又は後で行われた各領域における操作の種類を判定することができる。そのため、操作判定部１０６は、領域を跨ぐ操作の前又は後に行われた操作の種類に応じて、領域を跨ぐ操作に対応する動作を切り替えることができる。
【００６７】
このように、各領域で行われた操作を判別できることから、同じオブジェクトに２つの異なる選択状態を割り当てることもできる。例えば、画面領域のオブジェクトをタッチした場合に第１選択状態になり、同じオブジェクトに対応する枠領域の位置をタッチした場合に当該オブジェクトが第２選択状態になるように構成することができる。さらに、領域を跨ぐ操作が行われた場合に、その操作の前後でオブジェクトが第１選択状態から第２選択状態に変化するように構成することもできる。例えば、画面領域（枠領域）でオブジェクトを第１選択状態にした後で、そのまま枠領域（画面領域）にドラッグ操作した場合に同じオブジェクトが第２選択状態になるように構成することができる。
【００６８】
例えば、図８のケースは、第２選択状態への状態遷移を補助情報表示オブジェクト２２の表示操作に対応付けたものであると言える。その他にも、例えば、第１選択状態への状態遷移が行われた場合にオブジェクトに対応する画像が全画面表示され、第２選択状態への状態遷移が行われた場合にオブジェクトに対応する画像のサムネイル画像が一覧表示される等の構成例が考えられる。また、表示操作以外にも、例えば、第１選択状態への状態遷移が行われた場合に画像データのメール送信動作が実行され、第２選択状態への状態遷移が行われた場合に画像データの圧縮動作が実行されるように構成されていてもよい。これらの状態遷移は、操作判定部１０６が有する上記の機能により判定できる。
【００６９】
（画像データ再生部１０８、画像データ記憶部１１０）
再び図１を参照する。上記の通り、画像データ再生部１０８には、操作判定部１０６から再生すべき画像データを示す情報（以下、再生画像データ情報）が入力される。再生画像データ情報が入力されると、画像データ再生部１０８は、入力された情報が示す画像データを画像データ記憶部１１０から読み出し、表示制御部１１２に入力する。このとき、画像データ再生部１０８は、画像データの種類に応じて必要とされる所定の画像処理や復号処理等を画像データに施し、その出力信号を表示制御部１１２に入力する。なお、ここで言う画像データは、静止画像データのみならず、動画像データを含んでいてもよい。
【００７０】
（表示制御部１１２、表示部１３２）
上記の通り、表示制御部１１２には、画像データ再生部１０８から画像データの信号が入力される。画像データの信号が入力されると、表示制御部１１２は、入力された信号に基づいて画像を表示部１３２に表示させる。また、表示制御部１１２には、操作判定部１０６から操作の種類、及び当該操作に対応する表示動作を実現するのに必要な各種情報が入力される。そこで、表示制御部１１２は、入力された情報や信号に基づいて表示部１３２に表示されたＧＵＩや画像データを更新する。例えば、表示制御部１１２は、図２、図３、図７のようにフォルダオブジェクト１６の表示を非選択状態から選択状態に変更したり、フォルダオブジェクト１６に対応する写真オブジェクト１８を表示させたりする。
【００７１】
また、表示制御部１１２は、図５、図６のように選択状態のフォルダオブジェクト１６、又は表示内容をスクロールさせる。このとき、操作判定部１０６から高速スクロールモードへの切り替え操作を示す情報が入力されているならば、表示制御部１１２は、高速に表示内容をスクロールさせる。例えば、表示制御部１１２は、操作体１０のドラッグ操作に応じてスクロールさせる量を通常スクロールモードよりも大きく変更し、変更後のスクロール量で表示内容をスクロールさせる。
【００７２】
さらに、表示制御部１１２は、図８、図９のように補助情報表示オブジェクト２２を表示させる機能を有する。このとき、表示制御部１１２は、操作判定部１０６から入力された操作体１０の位置付近に補助情報表示オブジェクト２２を表示させる。また、表示制御部１１２は、補助情報として、図１０、図１１に示すようなフォルダオブジェクト２６に対応する画像データのサムネイル２４を表示するように構成されていてもよい。また、表示制御部１１２は、サムネイル２４と併せて画像データの撮影日時やデータサイズ等を補助情報として表示してもよい。なお、図１０の例は、補助情報を全画面表示させる場合の表示構成例を示すものである。一方、図１１の例は、補助情報をウィンドウ表示させる場合の表示構成例を示すものである。
【００７３】
以上、本発明の第１実施形態に係る情報処理装置１００の機能構成について説明した。上記の通り、情報処理装置１００は、外枠１２にまでセンサ領域を拡張したタッチパネル１０２を有すると共に、位置検知部１３４で検知した操作体１０のタッチ位置に対応する領域を判定する機能を有する。この機能を有することで、異なる領域で行われた操作に対して異なる動作を割り当てることが可能になる。さらに、領域を跨ぐドラッグ操作に所定の動作を割り当てることが可能になる。そして、領域を跨ぐドラッグ操作の前又は後で行われた操作に応じて当該ドラッグ操作により実行される動作を切り替えるように構成することも可能になる。もちろん、これらの操作方法を組み合わせることも可能である。
【００７４】
その結果、連続したドラッグ操作の中で、ユーザが所望のオブジェクトを指定したり、指定したオブジェクトの選択状態を変更したり、その選択状態に応じた動作を実行させたりすることができるようになる。つまり、ユーザは、タッチパネル１０２から操作体１０を離さずにモード切り替え操作や補助情報の表示操作等の付加的な操作を行うことができるようになる。また、領域を跨ぐか否か、領域を跨ぐ方向、領域を跨ぐ前後の操作等を組み合わせ、各組み合わせに所定の動作を対応付けることが可能になる。そのため、直感的で利便性の高い操作体系を維持しつつ、操作のバリエーションを増やすことができる。さらに、表示画面１４に表示すべきＧＵＩの増加を抑制することが可能になり、表示画面１４をより広く使うことができるようになる。
【００７５】
［１−２：情報処理装置１００による表示制御方法］
次に、再び図５、図６、図８、図９を参照しながら、情報処理装置１００による表示制御方法について、操作及び処理の流れを確認しながら簡単に纏める。
【００７６】
（スクロール操作について）
まず、図５、図６を参照しながら、スクロール操作を行う場合の操作及び処理の流れについて説明する。
【００７７】
図５に示すように、スクロール操作を行う場合、ユーザは、操作体１０をタッチパネル１０２にタッチし、スクロールさせたい方向にドラッグする。すると、表示制御部１１２は、タッチ位置の変化に応じて表示内容をスクロールさせる。このとき、表示制御部１１２は、移動する操作体１０のタッチ位置に応じてフォルダオブジェクト１６の選択状態を切り替える。さらに、表示制御部１１２は、表示画面１４の表示内容を選択状態のフォルダオブジェクト１６に対応する写真オブジェクト１８に切り替える。
【００７８】
また、高速スクロールモードに切り替える場合、ユーザは、モード切り替えボタン２０をタッチした後でスクロール操作を行う。但し、図５のようにモード切り替えボタン２０を表示画面１４に表示させると、モード切り替えボタン２０を表示する分だけ表示画面１４が狭くなってしまう。また、図５の方法では、高速スクロールモードに切り替えるためにユーザがタッチパネル１０２から操作体１０を一旦離し、モード切り替えボタン２０をタッチする必要があり、不便である。そこで、本実施形態では、図６のように領域を跨ぐ操作をモード切り替え動作に対応付け、連続するドラッグ操作の中でモード切り替えができるようにする。
【００７９】
まず、ユーザは、表示画面１４の領域にタッチする。この状態でドラッグ操作を行うと、ユーザは、図５に示すような通常のスクロール操作を行うことができる。一方、この状態で表示画面１４から外枠１２に操作体１０をドラッグすると、ユーザは、高速スクロールモードに切り替えることができる。このとき、情報処理装置１００は、操作判定部１０６により領域を跨ぐ操作が行われたことを検知し、その検知結果に基づいて高速スクロールモードへのモード切り替え処理を実行する。
【００８０】
なお、高速スクロールモードへの切り替え処理は、表示制御部１１２によるスクロール量の設定変更で実現される。高速スクロールモードへ変更された後、ユーザは、続けて外枠１２の領域をドラッグ操作することで、高速に表示内容をスクロールさせることができる。このように、ユーザは、高速スクロールモードへの切り替え操作を行う際に、操作体１０をタッチパネル１０２から離さずに済む。また、モード切り替えボタン２０を表示画面１４に表示せずに済むため、表示画面１４を広く利用することができる。このように、情報処理装置１００の機能を有効に利用することで利便性の高い操作体系が実現される。
【００８１】
（補助情報の表示操作について）
次に、図８、図９を参照しながら、補助情報の表示操作を行う場合の処理の流れについて説明する。
【００８２】
補助情報を表示する操作としては、例えば、補助情報を表示させたいオブジェクトに所定時間タッチし続けたり、補助情報を表示させるボタンを利用したりする方法が考えられる。所定時間タッチし続ける方法の場合、スクロール操作で補助情報の対象となるオブジェクトを変更しながら連続的に補助情報を表示させることは難しい。一方、補助情報を表示させるボタンを表示画面１４に設けると、表示画面１４の有効な表示領域が狭まってしまう。そこで、本実施形態では、図８に示すように、ユーザが表示画面１４から外枠１２へと操作体１０をドラッグした場合に補助情報が表示されるようにしている。
【００８３】
補助情報を表示させる場合、ユーザは、図８に示すように表示画面１４で所望のオブジェクトを選択状態にした後、表示画面１４から外枠１２に操作体１０をドラッグさせる。すると、選択状態のオブジェクトの近くに補助情報表示オブジェクト２２が表示される。このとき、情報処理装置１００は、操作判定部１０６により領域を跨ぐドラッグ操作を検知し、その検知結果に基づいて表示制御部１１２により補助情報表示オブジェクト２２を表示させる。ここで、ユーザが外枠１２に位置する操作体１０をドラッグさせると、図９に示すように操作体１０の移動に応じて選択状態のオブジェクトが変更される。
【００８４】
さらに、選択状態のオブジェクトが変更されるのに伴って補助情報表示オブジェクト２２の表示位置、及び表示内容が更新される。このとき、情報処理装置１００は、操作判定部１０６により上記操作から連続して実行される枠領域のドラッグ操作を検知し、その検知結果に基づいて表示制御部１１２により補助情報表示オブジェクト２２の表示位置を移動させる。さらに、表示制御部１１２は、補助情報表示オブジェクト２２の表示位置に応じて表示部１３２に表示させる表示内容を変更する。例えば、表示画面１４に表示される画像データが選択状態のフォルダオブジェクト１６の変更に応じて更新される。
【００８５】
このように、ユーザは、補助情報表示オブジェクト２２の表示操作を行う際に、操作体１０をタッチパネル１０２から離さずに済む。さらに、ユーザは、操作体１０の位置を移動させつつ、補助情報表示オブジェクト２２の表示内容を更新しながら複数の補助情報を続けて閲覧することができる。また、補助情報表示オブジェクト２２を表示させるためのＧＵＩを表示画面１４に表示せずに済むため、表示画面１４を広く利用することができる。このように、情報処理装置１００の機能を有効に利用することで利便性の高い操作体系が実現される。
【００８６】
以上、本発明の第１実施形態に係る表示制御方法について説明した。上記の方法を用いることで、直感的で利便性の高い操作体系が実現される。なお、本実施形態においては、説明の都合上、図５〜図１１等を参照しながら具体的な例を挙げて説明した。しかし、本実施形態の技術的範囲は、図５〜図１１に例示した表示制御方法に限定されるものではない。また、同説明において画像データの表示制御に関する例を挙げたが、例えば、音楽データやテキストデータ等、種々のデジタルデータの表示制御に関しても本実施形態の技術を同様に適用することができる点に注意されたい。
【００８７】
＜２：第２実施形態（音楽データに関する構成）＞
次に、本発明の第２実施形態について説明する。本実施形態は、上記の第１実施形態と同様に、表示パネルの外枠まで拡張されたセンサ領域を利用して利便性の高い操作体系を実現する技術に関する。また、本実施形態においては、具体的に音楽データの補助情報を表示する方法や、この情報を表示するための表示制御方法が提案される。
【００８８】
［２−１：情報処理装置２００の機能構成］
まず、図１２を参照しながら、本発明の第２実施形態に係る情報処理装置２００の機能構成について説明する。図２は、本実施形態に係る情報処理装置２００の機能構成例を示す説明図である。なお、上記の第１実施形態に係る情報処理装置１００と実質的に同じ機能構成を有する構成要素については同一の符号を付することで詳細な説明を省略する。
【００８９】
図２に示すように、情報処理装置２００は、タッチパネル１０２と、領域判定部１０４と、操作判定部１０６と、音楽データ再生部２０８と、音楽データ記憶部２１０と、表示制御部２１２と、音声出力部２１４と、を有する。なお、上記の音楽データ再生部２０８は、コンテンツ再生部の一例である。
【００９０】
まず、ユーザにより操作が行われると、操作体１０のタッチ位置が位置検知部１３４により検知される。そして、位置検知部１３４で検知されたタッチ位置を示すタッチ位置情報は、領域判定部１０４、及び操作判定部１０６に入力される。タッチ位置情報が入力されると、領域判定部１０４は、タッチ位置情報に基づいてタッチ位置が枠領域に含まれるか、或いは、画面領域に含まれるかを判定する。そして、領域判定部１０４で判定された結果は、領域情報として操作判定部１０６に入力される。
【００９１】
上記の通り、領域判定部１０４には、タッチ位置情報と領域情報とが入力される。これらの情報が入力されると、操作判定部１０６は、タッチ位置情報に基づいてユーザ操作がタップ操作であるか、ドラッグ操作であるか等を判定する。さらに、操作判定部１０６は、領域情報に基づいてユーザ操作が領域を跨ぐ操作であるか否かを判定する。そして、操作判定部１０６は、各領域におけるユーザ操作の種類、領域を跨ぐ操作か否か、領域を跨ぐ方向等の情報に基づいて操作の種類を判定する。そして、操作判定部１０６で判定された操作の種類を示す情報（以下、操作情報）は、表示制御部２１２に入力される。
【００９２】
また、操作の種類が音楽データの再生操作である場合、操作判定部１０６は、再生すべき音楽データを特定するための情報（以下、再生音楽データ情報）を音楽データ再生部２０８に入力する。再生音楽データ情報が入力されると、音楽データ再生部２０８は、音楽データ記憶部２１０から再生音楽データ情報により特定される音楽データを読み出し、読み出した音楽データに対応する音声信号を音声出力部２１４に入力する。このとき、音楽データ再生部２０８は、必要に応じて音楽データに所定のデコード処理やデスクランブル処理等を施して音声信号を生成する。音楽データ再生部２０８から音声信号が入力されると、音声出力部２１４は、入力された音声信号を出力する。
【００９３】
なお、操作判定部１０６から操作情報が入力されると、表示制御部２１２は、操作情報に応じて表示部１３２に表示される表示内容を更新する。また、操作情報に高速スクロールモードへの切り替え操作を示す情報が含まれている場合、表示制御部２１２は、スクロール量の設定を変更し、変更後のスクロール量で表示内容をスクロールさせる。スクロール量としては、例えば、通常スクロールモードのスクロール量を１単位として、高速スクロールモードのスクロール量を３単位とする。また、高速スクロールモードでは、例えば、スクロール量がアルバム単位や楽曲名によるソートの単位（例えば、頭文字）に設定されてもよい。
【００９４】
さらに、操作情報が補助情報の表示操作を示す情報である場合、表示制御部２１２は、図１４に示すように、表示部１３２に所定の補助情報を表示させる。補助情報には、例えば、音楽データのタイトル、アーティスト名、製作日時、再生時間、再生履歴等が含まれる。例えば、図１４に示すように、ある音楽情報表示領域３２に対応する位置で外枠１２がタップ操作されると、表示制御部２１２は、補助情報表示領域３６をウィンドウ表示させる。そして、表示制御部２１２は、補助情報表示領域３６に補助情報を表示させる。
【００９５】
また、操作情報が音楽データの再生操作を示す情報である場合、表示制御部２１２は、例えば、図１３に示すように、音楽データの再生制御に用いるＧＵＩを全画面表示させる。音楽データの再生制御に用いるＧＵＩとしては、例えば、再生画面領域３４や操作ボタン３６等がある。再生画面領域３４には、例えば、音楽データのイメージを示す映像やアルバムのジャケット写真等が表示される。操作ボタン３６は、音楽データの再生、停止、早送り、巻き戻し等の制御を行うために設けられたものである。
【００９６】
このように、ユーザは、操作体１０のスライド操作を行うことで楽曲リストから音楽データを選択したり、選択した音楽データを再生したりすることができる。さらに、ユーザは、領域を跨ぐドラッグ操作を行うことで高速スクロールモードに切り替えたり、補助情報を表示させたりすることができる。また、こうした操作に音楽データの一部再生等の機能が割り当てられていれば、ユーザは、画像データのプレビューを見るように音楽データの雰囲気を確認しながら所望の音楽データを検索することもできる。このように、情報処理装置２００の機能を有効に利用することで、利便性の高い操作体系が実現される。
【００９７】
［２−２：情報処理装置２００による表示制御方法］
ここで、図１３、図１４を参照しながら、情報処理装置２００による表示制御方法について、操作及び処理の流れを確認しながら簡単に纏める。
【００９８】
図１３に示すように、音楽データを再生する際、ユーザは、音楽情報表示領域３２に表示された音楽データ又はアルバムのタイトルを参照しつつ、音楽データリストの中から所望の音楽データを選択する。例えば、ユーザは、表示画面１４に表示された楽曲のアルバム写真を示すサムネイル２４に対してタップ操作を行う。このタップ操作に楽曲データの再生動作が対応付けられている場合、表示制御部２１２は、図１３のような再生制御用のＧＵＩを表示させる。例えば、表示制御部２１２は、再生画面領域３４、及び操作ボタン３６を含むＧＵＩを全画面表示で表示させる。
【００９９】
ユーザにより操作ボタン３６が操作されると、情報処理装置２００は、音楽データ再生部２０８により音楽データを再生する。すると、再生された音楽データの音声が音声出力部２１４から出力される。さらに、情報処理装置２００は、表示制御部２１２により楽曲のイメージを示す画像を再生画面領域３４に表示させる。このように、表示画面１４へのタップ操作に音楽データの再生動作を対応付けることができる。一方、外枠１２へのタップ操作に補助情報の表示動作を対応付けると、図１４のようになる。ユーザにより外枠１２がタップされると、情報処理装置２００は、図１４に示すように、表示制御部２１２により補助情報表示領域３８を表示させる。このとき、音楽データ再生部２０８による音楽データの再生処理は実行されない。
【０１００】
上記のように、枠領域に対して行われた操作と画面領域に対して行われた操作とを区別できることで、同じタップ操作に対して異なる動作を対応付けることができる。その結果、直感的な操作性を維持しつつ、補助情報表示機能やプレビュー再生機能のような付加的な機能を容易に追加することが可能になる。また、操作体１０をタッチパネル１０２から離す機会が減少するため、筐体を安定して把持することができるようになる。さらに、操作工程が少ない分だけ高速に操作を行うことができるようになる。なお、付加的な機能としては、上記の他、例えば、ＧＵＩの操作に関するヘルプ情報の表示機能や表示内容の拡大／縮小機能等も考えられる。
【０１０１】
以上、本発明の第２実施形態に係る表示制御方法ついて説明した。上記の方法を用いることで、直感的で利便性の高い操作体系が実現される。なお、本実施形態においては、説明の都合上、図１３、図１４を参照しながら具体的な例を挙げて説明した。しかし、本実施形態の技術的範囲は、図１３、図１４に例示した方法に限定されるものではない。
【０１０２】
＜３：情報処理装置１００、２００のハードウェア構成＞
上記の情報処理装置１００、２００が有する各構成要素の機能は、例えば、図１５に示す情報処理装置のハードウェア構成を用いて実現することが可能である。つまり、当該各構成要素の機能は、コンピュータプログラムを用いて図１５に示すハードウェアを制御することにより実現される。なお、このハードウェアの形態は任意であり、例えば、パーソナルコンピュータ、携帯電話、ＰＨＳ、ＰＤＡ等の携帯情報端末、ゲーム機、又は種々の情報家電がこれに含まれる。但し、上記のＰＨＳは、Ｐｅｒｓｏｎａｌ  Ｈａｎｄｙ−ｐｈｏｎｅ  Ｓｙｓｔｅｍの略である。また、上記のＰＤＡは、Ｐｅｒｓｏｎａｌ  Ｄｉｇｉｔａｌ  Ａｓｓｉｓｔａｎｔの略である。
【０１０３】
図１５に示すように、このハードウェアは、主に、ＣＰＵ９０２と、ＲＯＭ９０４と、ＲＡＭ９０６と、ホストバス９０８と、ブリッジ９１０と、を有する。さらに、このハードウェアは、外部バス９１２と、インターフェース９１４と、入力部９１６と、出力部９１８と、記憶部９２０と、ドライブ９２２と、接続ポート９２４と、通信部９２６と、を有する。但し、上記のＣＰＵは、Ｃｅｎｔｒａｌ  Ｐｒｏｃｅｓｓｉｎｇ  Ｕｎｉｔの略である。また、上記のＲＯＭは、Ｒｅａｄ  Ｏｎｌｙ  Ｍｅｍｏｒｙの略である。そして、上記のＲＡＭは、Ｒａｎｄｏｍ  Ａｃｃｅｓｓ  Ｍｅｍｏｒｙの略である。
【０１０４】
ＣＰＵ９０２は、例えば、演算処理装置又は制御装置として機能し、ＲＯＭ９０４、ＲＡＭ９０６、記憶部９２０、又はリムーバブル記録媒体９２８に記録された各種プログラムに基づいて各構成要素の動作全般又はその一部を制御する。ＲＯＭ９０４は、ＣＰＵ９０２に読み込まれるプログラムや演算に用いるデータ等を格納する手段である。ＲＡＭ９０６には、例えば、ＣＰＵ９０２に読み込まれるプログラムや、そのプログラムを実行する際に適宜変化する各種パラメータ等が一時的又は永続的に格納される。
【０１０５】
これらの構成要素は、例えば、高速なデータ伝送が可能なホストバス９０８を介して相互に接続される。一方、ホストバス９０８は、例えば、ブリッジ９１０を介して比較的データ伝送速度が低速な外部バス９１２に接続される。また、入力部９１６としては、例えば、マウス、キーボード、タッチパネル、ボタン、スイッチ、及びレバー等が用いられる。さらに、入力部９１６としては、赤外線やその他の電波を利用して制御信号を送信することが可能なリモートコントローラ（以下、リモコン）が用いられることもある。
【０１０６】
出力部９１８としては、例えば、ＣＲＴ、ＬＣＤ、ＰＤＰ、又はＥＬＤ等のディスプレイ装置、スピーカ、ヘッドホン等のオーディオ出力装置、プリンタ、携帯電話、又はファクシミリ等、取得した情報を利用者に対して視覚的又は聴覚的に通知することが可能な装置である。但し、上記のＣＲＴは、Ｃａｔｈｏｄｅ  Ｒａｙ  Ｔｕｂｅの略である。また、上記のＬＣＤは、Ｌｉｑｕｉｄ  Ｃｒｙｓｔａｌ  Ｄｉｓｐｌａｙの略である。そして、上記のＰＤＰは、Ｐｌａｓｍａ  ＤｉｓｐｌａｙＰａｎｅｌの略である。さらに、上記のＥＬＤは、Ｅｌｅｃｔｒｏ−Ｌｕｍｉｎｅｓｃｅｎｃｅ  Ｄｉｓｐｌａｙの略である。
【０１０７】
記憶部９２０は、各種のデータを格納するための装置である。記憶部９２０としては、例えば、ハードディスクドライブ（ＨＤＤ）等の磁気記憶デバイス、半導体記憶デバイス、光記憶デバイス、又は光磁気記憶デバイス等が用いられる。但し、上記のＨＤＤは、Ｈａｒｄ  Ｄｉｓｋ  Ｄｒｉｖｅの略である。
【０１０８】
ドライブ９２２は、例えば、磁気ディスク、光ディスク、光磁気ディスク、又は半導体メモリ等のリムーバブル記録媒体９２８に記録された情報を読み出し、又はリムーバブル記録媒体９２８に情報を書き込む装置である。リムーバブル記録媒体９２８は、例えば、ＤＶＤメディア、Ｂｌｕ−ｒａｙメディア、ＨＤ  ＤＶＤメディア、各種の半導体記憶メディア等である。もちろん、リムーバブル記録媒体９２８は、例えば、非接触型ＩＣチップを搭載したＩＣカード、又は電子機器等であってもよい。但し、上記のＩＣは、Ｉｎｔｅｇｒａｔｅｄ  Ｃｉｒｃｕｉｔの略である。
【０１０９】
接続ポート９２４は、例えば、ＵＳＢポート、ＩＥＥＥ１３９４ポート、ＳＣＳＩ、ＲＳ−２３２Ｃポート、又は光オーディオ端子等のような外部接続機器９３０を接続するためのポートである。外部接続機器９３０は、例えば、プリンタ、携帯音楽プレーヤ、デジタルカメラ、デジタルビデオカメラ、又はＩＣレコーダ等である。但し、上記のＵＳＢは、Ｕｎｉｖｅｒｓａｌ  Ｓｅｒｉａｌ  Ｂｕｓの略である。また、上記のＳＣＳＩは、Ｓｍａｌｌ  Ｃｏｍｐｕｔｅｒ  Ｓｙｓｔｅｍ  Ｉｎｔｅｒｆａｃｅの略である。
【０１１０】
通信部９２６は、ネットワーク９３２に接続するための通信デバイスであり、例えば、有線又は無線ＬＡＮ、Ｂｌｕｅｔｏｏｔｈ（登録商標）、又はＷＵＳＢ用の通信カード、光通信用のルータ、ＡＤＳＬ用のルータ、又は各種通信用のモデム等である。また、通信部９２６に接続されるネットワーク９３２は、有線又は無線により接続されたネットワークにより構成され、例えば、インターネット、家庭内ＬＡＮ、赤外線通信、可視光通信、放送、又は衛星通信等である。但し、上記のＬＡＮは、Ｌｏｃａｌ  Ａｒｅａ  Ｎｅｔｗｏｒｋの略である。また、上記のＷＵＳＢは、Ｗｉｒｅｌｅｓｓ  ＵＳＢの略である。そして、上記のＡＤＳＬは、Ａｓｙｍｍｅｔｒｉｃ  Ｄｉｇｉｔａｌ  Ｓｕｂｓｃｒｉｂｅｒ  Ｌｉｎｅの略である。
【０１１１】
＜４：まとめ＞
最後に、上記各実施形態の情報処理装置が有する機能構成と、当該機能構成により得られる作用効果について簡単に纏める。
【０１１２】
まず、上記各実施形態に係る情報処理装置の機能構成は次のように表現することができる。当該情報処理装置は、次のような外枠部、位置検知部、表示制御部を有する。当該外枠部は、オブジェクトが表示される表示部の外枠を形成するものである。また、上記の位置検知部は、前記表示部又は前記外枠部に接触又は近接した操作体の位置を検知するものである。さらに、上記の表示制御部は、前記操作体が前記表示部に接触又は近接した状態で前記外枠部に移動した場合、当該移動の開始時に前記位置検知部で検知された前記操作体の位置にあるオブジェクトに関する補助情報を前記表示部に表示させるものである。
【０１１３】
このように、表示部から外枠部へと操作体が移動した場合に、領域を跨ぐ移動及びその移動方向を検知して補助情報を表示するように構成することで、ユーザは、操作体のドラッグ操作だけで補助情報を表示させることが可能になる。その結果、ユーザは、補助情報を表示させるための操作体を表示部又は外枠部から離さずに済むため、高速に操作を行うことができるようになる。また、補助情報を表示させるために別途ＧＵＩを設けずに済む分だけ、表示領域を広く利用することができる。
【０１１４】
また、前記表示制御部は、前記表示部から前記外枠部に移動した操作体が当該外枠部に接触又は近接した状態で移動した場合、当該移動の後で前記位置検知部により検知された前記操作体の位置に対応する位置に表示されたオブジェクトに関する補助情報を前記表示部に表示させるように構成されていてもよい。このような構成にすることで、ユーザは、タップ操作等により補助情報の表示対象となるオブジェクトを補助情報の表示操作に続けて連続的に行うことができるようになる。
【０１１５】
また、上記の情報処理装置は、前記表示部に表示されたオブジェクトが前記操作体により直接接触又は近接された場合に前記位置検知部で検知された当該操作体の位置に基づいて当該オブジェクトを第１の選択状態にするオブジェクト選択部を有していてもよい。この場合、前記オブジェクト選択部は、前記操作体が前記外枠部に接触又は近接した状態で前記表示部に移動した場合、当該移動の後で前記位置検知部により検知された前記操作体の位置にあるオブジェクトを前記第１の選択状態とは異なる第２の選択状態にする。
【０１１６】
このように、領域を跨ぐ操作の前後で、同じオブジェクトに対して異なる選択状態が割り当てられるように構成することで、オブジェクトに多様な状態を設定することが可能になる。つまり、領域を跨ぐ操作、及び各領域における操作の組み合わせを用いて複雑な操作体系を実現することが可能になる。
【０１１７】
また、上記の情報処理装置は、前記オブジェクト選択部によりオブジェクトが第１の選択状態にされた場合に当該オブジェクトに対応するコンテンツを再生するコンテンツ再生部を有していてもよい。この場合、前記コンテンツ再生部は、前記オブジェクト選択部によりオブジェクトが前記第２の選択状態にされた場合に当該オブジェクトに対応するコンテンツの補助情報を前記表示部に表示させる。このように、同じオブジェクトに複数の異なる選択状態を対応付けることで、同じオブジェクトに対して選択状態毎の異なる動作を割り当てることができるようになる。
【０１１８】
例えば、前記コンテンツが音楽コンテンツの場合、前記コンテンツ再生部は、前記コンテンツの補助情報として前記音楽コンテンツの再生履歴、楽曲の再生時間、及び再生頻度を示す情報の一部又は全部を前記表示部に表示させるように構成されていてもよい。また、前記コンテンツが動画コンテンツの場合、前記コンテンツ再生部は、前記コンテンツの補助情報として前記動画コンテンツの再生履歴、動画の再生時間、及び再生頻度を示す情報の一部又は全部を前記表示部に表示させるように構成されていてもよい。さらに、前記コンテンツが静止画コンテンツであり、前記オブジェクトが一又は複数の前記静止画コンテンツに対応付けられたフォルダである場合、前記コンテンツ再生部は、前記コンテンツの補助情報として前記第２の選択状態に設定されたオブジェクトに対応付けられた前記静止画コンテンツのサムネイル画像を前記表示部に表示させるように構成されていてもよい。
【０１１９】
また、上記の情報処理装置は、上記の表示制御部に代えて、前記領域判定部により前記表示部の領域であると判定された場合に前記操作体の移動に応じて第１の速度で前記表示部の表示内容をスクロールさせ、前記外枠部の領域であると判定された場合に前記操作体の移動に応じて前記第１の速度とは異なる第２の速度で前記表示部の表示内容をスクロールさせる表示制御部を有していてもよい。このように、操作される領域に応じてスクロール速度を変更することで、高速スクロールモードへのモード切り替えボタンを表示せずに済むため、表示領域を広く利用することができるようになる。また、モード切り替えボタンを操作せずに済む分だけ、操作工程が減少し、高速に操作することができるようになる。
【０１２０】
このように、上記各実施形態に係る技術を用いることで、直感的で利便性の高い操作体系が実現される。
【０１２１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【０１２２】
１００、２００    情報処理装置
１０２    タッチパネル
１０４    領域判定部
１０６    操作判定部
１０８    画像データ再生部
１１０    画像データ記憶部
１１２    表示制御部
１３２    表示部
１３４    位置検知部
２０８    音楽データ再生部
２１０    音楽データ記憶部
２１２    表示制御部
２１４    音声出力部
【図１】
2010191892.tif 000003
【図２】
2010191892.tif 000004
【図３】
2010191892.tif 000005
【図４】
2010191892.tif 000006
【図５】
2010191892.tif 000007
【図６】
2010191892.tif 000008
【図７】
2010191892.tif 000009
【図８】
2010191892.tif 000010
【図９】
2010191892.tif 000011
【図１０】
2010191892.tif 000012
【図１１】
2010191892.tif 000013
【図１２】
2010191892.tif 000014
【図１３】
2010191892.tif 000015
【図１４】
2010191892.tif 000016
【図１５】
2010191892.tif 000017